(57)【要約】【課題】スイッチアジャスタの新設または交換を行うのに最小人員で作業を完遂するスイッチアジャスタ用位置決め装置を提供する。【解決手段】腕金具２を転轍棒６の所定位置に位置決めする位置決め装置は転轍棒６の上面に設けられる補助板１２を備える。補助板１２は位置決め用小孔を備えた一対の開口１４を有する。また、腕金具２から転轍棒６を介して補助板１２の開口１４に延びる一対の位置決めピン１３を備える。補助板１２の開口１４は位置決めピン１３の係合部が挿通される、口径の大きい大孔を備える。【選択図】図１
2006264477.tif 000002
【特許請求の範囲】
【請求項１】
腕金具から転轍棒にかけて設けられる締結部材によって前記腕金具を前記転轍棒に固定するのに先立って前記腕金具を前記転轍棒の所定位置に位置決めするスイッチアジャスタ用位置決め装置であって、前記転轍棒の上面に設けられ、小孔を備えた一対の開口を有する補助板と、前記腕金具から前記転轍棒を介して前記補助板の小孔にかけて延在する一対のピン部材とを備え、前記補助板の開口は前記ピン部材の係合部が挿通される、前記小孔よりも口径の大きい大孔を備えるスイッチアジャスタ用位置決め装置。
【発明の詳細な説明】
【技術分野】
【０００１】
本発明はスイッチアジャスタの新設または交換を行うのに最小人員で全ての作業を完遂することを可能にしたスイッチアジャスタ用位置決め装置に関する。
【背景技術】
【０００２】
一般に、鉄道用軌道は本線から分れる分岐線を有し、この分岐線の本線との交差部にはいわゆる分岐器が設けられる。この分岐器には転換を円滑に果たすスイッチアジャスタが付設される。スイッチアジャスタとは転轍機の動程をトングレールの行程に合わせ、かつトングレールを一定の圧力で基本レールに押し付ける（密着と称する）役割を担う装置のことである。
【０００３】
ところで、スイッチアジャスタはトングレールを一定の圧力で基本レールに押すのに精密な動作が求められ、軌道の点検では定期的にトングレールの密着度を測定することが行われる。この密着度の測定で、たとえばトングレールを押すのに十分な力が発生しないなどの不具合が確認されると、使用中のスイッチアジャスタを新たなものに交換する必要が生じる。
【０００４】
通常、この交換作業は次の手順で実施される。すなわち、図５に示すように、スイッチアジャスタの腕金具３１をトングレール（図示せず）と連結する転轍棒３２に固定しているボルト３３とナット３４と緩め、ボルト３３を引き抜いて腕金具３１を転轍棒３２から引き離し、スイッチアジャスタを取り外す。また、スイッチアジャスタを取付けるには新しいスイッチアジャスタの腕金具を転轍棒３２の下側に当てながら、ボルト３３を腕金具と転轍棒３２とに通してボルト３３のねじを転轍棒３２の上面に臨ませ、ナット３４をボルト３３のねじと螺合してこれを締め付けるという、手順によっている。
【発明の開示】
【発明が解決しようとする課題】
【０００５】
ところで、上記した交換作業で新たなスイッチアジャスタを転轍棒３２に取付けるには１人の作業員がスイッチアジャスタを下から支えた状態で、別の作業員が腕金具のボルト孔と転轍棒３２のボルト孔とを合わせるように位置決めし、各ボルト孔にボルト３３を通した後、ナット３４を螺合させて締め付けるという、同時に２人の人員が携わる作業となる。通常、スイッチアジャスタは重さのある装置で、全重量を支える作業員にはかなりの負担を強いることになる。
【０００６】
このような作業員の負担を軽減する方法として、スイッチアジャスタを支持する適当な高さの台またはレストを使用することが考えられるが、線路面から転轍棒までの高さは分岐器構造の相違などによって一定してなく、交換作業に臨んでその都度台の高さを調整しなければならず、時間が掛かる難点がある。
【０００７】
２人掛かりで同時に行う作業は時間を無駄に費やすことが少なくなく、可能であれば、最小人員による作業が好ましい。また、こうした作業は車輌が止まる夜間に行われることが多く、時間外作業で費用が高く付くのを抑えるためにも、最小人員による作業が好ましい。
【０００８】
本発明の目的はスイッチアジャスタの新設または交換を行うのに最小人員で全ての作業を完遂することを可能にしたスイッチアジャスタ用位置決め装置を提供することにある。
【課題を解決するための手段】
【０００９】
本発明によるスイッチアジャスタ用位置決め装置は腕金具から転轍棒にかけて設けられる締結部材によって腕金具を転轍棒に固定するのに先立って腕金具を転轍棒の所定位置に位置決めするスイッチアジャスタ用位置決め装置であって、転轍棒の上面に設けられ、小孔を備えた一対の開口を有する補助板と、腕金具から転轍棒を介して補助板の小孔にかけて延在する一対のピン部材とを備え、補助板の開口はピン部材の係合部が挿通される、小孔よりも口径の大きい大孔を備えるものである。
【００１０】
本発明においては締結部材によって腕金具を転轍棒に固定するのに先立って腕金具に設けられたピン部材を開口の一部である、一段と口径を大きくしている大孔を通して補助板上に臨ませる。補助板を転轍棒に沿って僅かに滑らせながら移動してピン部材の係合部を口径の小さい小孔の周縁に掛けて腕金具を位置決めする。これによって、転轍棒に対してスイッチアジャスタを決められた位置に置くことができる。
【００１１】
本発明によれば、位置決め装置を用いてスイッチアジャスタの位置決めを締結部材による腕金具の固定とは独立した単一の工程とすることが可能で、スイッチアジャスタの取付けを１人の作業員の手で全て遂行することができる。
【発明を実施するための最良の形態】
【００１２】
本発明による位置決め装置の一実施の形態について図面を参照して説明する。図１において、スイッチアジャスタはロッド１と、このロッド１と係合する腕金具２とを備える。この腕金具２は内部に図示しないトングレールに密着力を与えるスプリング（図示せず）を収容している。また、スイッチアジャスタはロッド１のねじ３と螺合する筒ナット４ａと、筒ナット４ｂとを備える。さらに、ロッド１のねじ３と螺合する、筒ナット４ａの緩みを止めるナット５ａと、筒ナット４ｂの緩みを止めるナット５ｂとを備える。
【００１３】
また、腕金具２はトングレールと結ぶ転轍棒６と連結されている。腕金具２には転轍棒６にかけて通す締結部材のための３個のボルト孔７が穿設され、転轍棒６にも同様に３個のボルト孔８が穿設される。各々ボルト孔７、８を通して四角ボルト９が嵌入され、四角ボルト９のねじに螺合させるナット１０を締め付けることで、腕金具２を転轍棒６に固定することができる。
【００１４】
一方、スイッチアジャスタは位置決め装置１１を有する。この位置決め装置１１は転轍棒６の上面に配置される補助板１２と、腕金具２から転轍棒６を介して補助板１２の上面にかけて延びる一対の位置決めピン１３とを備える。補助板１２には位置決めピン１３と同じピッチで一対のひょうたん形開口１４が穿たれる。また、転轍棒６には位置決めピン１３と同じピッチで一対のピン孔１５が穿たれる。
【００１５】
なお、図１において、符号１６はナット１０の緩みを抑える皿ばね座金であり、符号１７はナット抜け止め用割ピンである。
【００１６】
腕金具２は、図２（ａ）（ｂ）に示すように、その平面部にそれぞれ四角ボルト９が嵌入される、３個のボルト孔７を有する。このボルト孔７の外側に一対の位置決めピン１３が設けられる。この位置決めピン１３は先端に補助板１２の開口１４の小孔（後記）の周縁に掛けるために小孔よりも直径を大きく形成される係合部１８を備える。
【００１７】
一方、図３に示すように、補助板１２はひょうたん形開口１４を有する。この開口１４は互いの間にある距離を保って穿たれる小孔１９と大孔２０とを備える。この小孔１９の口径は細身に加工した位置決めピン１３の軸部に合わせて小さく、一方、大孔２０の口径は小孔１９よりも一段と大きく穿たれる。さらに、補助板１２には四角ボルト９が嵌入される３個のボルト孔２１が穿設される。
【００１８】
転轍棒６にスイッチアジャスタを取付けるにあたり、位置決めピン１３を上に向けて腕金具２を転轍棒６の下側に置き、また、転轍棒６の上面に沿って補助板１２を載せて置く。スイッチアジャスタを持ち上げ、腕金具２の位置決めピン１３を転轍棒６のピン孔１５と補助板１２の大孔２０とを通して係合部１８を補助板１２上に突出させる。
【００１９】
次いで、図４に示すように、補助板１２を転轍棒６に沿って僅かに滑らせながら移動し、位置決めピン１３の中心を小孔１９の中心に合わせる。スイッチアジャスタから手を離すと、位置決めピン１３の係合部１８の外周が小孔１９周縁に掛かり、転轍棒６に対してスイッチアジャスタを決められた位置に置くことができる。この位置決めにより各ボルト孔７，８、２１の中心が１直線上に並ぶ。
【００２０】
次いで、腕金具２の下から各ボルト孔７，８、２１に四角ボルト９をそれぞれ通してその先端から皿ばね座金１６を組み付け、四角ボルト９のねじにナット１０のねじを螺合させ、ナット１０をそれぞれ締め付ける。さらに、四角ボルト９のピン孔に割りピン１７を通し、ピン先端を開いて固定する。以上の工程を実施して転轍棒６にスイッチアジャスタを固定することができる。
【００２１】
このように、本実施の形態においては位置決め装置１１を用いてスイッチアジャスタの位置決めを締結部材による腕金具２の固定とは独立した単一の工程とすることが可能で、スイッチアジャスタの取付けを１人の作業員の手で全て遂行することができる。
【産業上の利用可能性】
【００２２】
本発明のスイッチアジャスタ用位置決め装置はスイッチアジャスタの交換等において転轍棒にスイッチアジャスタを取付ける際に最小人員で作業を完遂するのに有用である。
【図面の簡単な説明】
【００２３】
【図１】本発明によるスイッチアジャスタ用位置決め装置の一実施の形態を示す分解斜視図である。
【図２】図１に示される腕金具の詳細を示すもので、（ａ）は腕金具の正面図、（ｂ）は腕金具の側面図である。
【図３】図１に示される補助板の詳細を示すもので、補助板の平面図である。
【図４】本発明に係る転轍棒に腕金具を組み付け、腕金具を移動した状態を示す斜視図である。
【図５】従来技術による転轍棒に固定したスイッチアジャスタの一例を示す斜視図である。
【符号の説明】
【００２４】
２…  腕金具
６…  転轍棒
９…  四角ボルト
１０…  ナット
１２…  補助板
１３…  位置決めピン
１４…  開口
１８…  係合部
１９…  小孔
２０…  大孔
【図１】
2006264477.tif 000003
【図２】
2006264477.tif 000004
【図３】
2006264477.tif 000005
【図４】
2006264477.tif 000006
【図５】
2006264477.tif 000007